(57)【要約】【課題】箱体の支持と折り畳みに便利な折り畳み式箱体のボーンフレームを提供する。【解決手段】第１片体１０、第２片体２０、第３片体３０、第４片体４０を含んでなる。第１片体と第２片体は両側に複数の延伸結合部１１，１２，２２，２２がそれぞれ設けられ、それぞれの片側の複数の延伸結合部が第１軸棒５０により相互に軸着され、第１片体と第２片体が相互に対応して回動可能に結合される。第３片体３０の片側に複数の延伸結合部３１が設けられ、第１片体１０の他側の複数の延伸結合部と第２軸棒６０で軸着され、第３片体と第１片体が相互に対応して回動可能に結合される。第４片体４０の片側に複数の延伸結合部が設けられ、第２片体２０の他側の複数の延伸結合部と第３軸棒７０で軸着され、第４片体と第２片体が相互に対応して回動可能に結合される。【選択図】図１
0003130186.tif 000002
【実用新案登録請求の範囲】
【請求項１】
折り畳み式箱体のボーンフレームであって、第１片体、第２片体、第３片体及び第４片体を含んでなり、
前記第１片体及び前記第２片体は、各々の両側部に、上下方向に所定の間隔を開いて側方に延伸する複数の延伸結合部がそれぞれ設けられ、前記第１片体の一側部の複数の延伸結合部と前記第２片体の他側部の複数の延伸結合部とは、上下方向に交互に隣接配置されると共に、上下方向に向く第１軸棒により相互に回動可能に軸着され、前記第１片体と第２片体との間に前記第１軸棒に対する少なくとも１つの位置決め部が設けられ、
前記第３片体は、一側部に上下方向に所定の間隔を開いて側方に延伸する複数の延伸結合部が設けられ、かつ他側部に他部材接続用の複数の嵌合突起体が上下方向に並設され、前記第３片体の一側部の複数の延伸結合部と前記第１片体の他側部の複数の延伸結合部とは、上下方向に交互に隣接配置されると共に、上下方向に向く第２軸棒により相互に回動可能に軸着され、前記第１片体と前記第３片体との間に前記第２軸棒に対する少なくとも１つの位置決め部が設けられ、
前記第４片体は、一側部に上下方向に所定の間隔を開いて側方に延伸する複数の延伸結合部が設けられ、かつ他側部に他部材接続用の複数の嵌合突起体が上下方向に並設され、前記第４片体の一側部の複数の延伸結合部と前記第２片体の一側部の複数の延伸結合部とは、上下方向に交互に隣接配置されると共に、上下方向に向く第３軸棒により相互に回動可能に軸着され、前記第２片体と前記第４片体との間に前記第３軸棒に対する少なくとも１つの位置決め部が設けられた
ことを特徴とする折り畳み式箱体のボーンフレーム。
【請求項２】
前記第１片体と前記第２片体との間に設けられる位置決め部は、前記第１片体の一側部上部の延伸結合部に設けられた弾性突出片で構成され、当該弾性突出部は、前記第１軸棒が前記延伸結合部に押し込み挿入される際に圧迫を受けて弾性的に変形し、前記第１軸棒が押し込み挿入された後に弾性的に復帰し、前記第１軸棒に対して阻隔面を形成することを特徴とする請求項１に記載の折り畳み式箱体のボーンフレーム。
【請求項３】
前記第１片体と前記第２片体との間に設けられる位置決め部は、前記第２片体の他側部下部の延伸結合部に設けられた弾性突出片で構成され、当該弾性突出部は、前記第１軸棒が前記延伸結合部に押し込み挿入される際に圧迫を受けて弾性的に変形し、前記第１軸棒が押し込み挿入された後に弾性的に復帰し、前記第１軸棒に対して阻隔面を形成することを特徴とする請求項１又は請求項２に記載の折り畳み式箱体のボーンフレーム。
【請求項４】
前記第３片体と前記第１片体との間に設けられる位置決め部は、前記第３片体の一側部上部の延伸結合部に設けられた弾性突出片で構成され、当該弾性突出部は、前記第２軸棒が前記延伸結合部に押し込み挿入される際に圧迫を受けて弾性的に変形し、前記第２軸棒が押し込み挿入された後に弾性的に復帰し、前記第２軸棒に対して阻隔面を形成することを特徴とする請求項１に記載の折り畳み式箱体のボーンフレーム。
【請求項５】
前記第３片体と前記第１片体との間に設けられる位置決め部は、前記第１片体の他側部下部の延伸結合部に設けられた弾性突出片で構成され、当該弾性突出部は、前記第２軸棒が前記延伸結合部に押し込み挿入される際に圧迫を受けて弾性的に変形し、前記第２軸棒が押し込み挿入された後に弾性的に復帰し、前記第２軸棒に対して阻隔面を形成することを特徴とする請求項１又は請求項４に記載の折り畳み式箱体のボーンフレーム。
【請求項６】
前記第４片体と前記第２片体との間に設けられる位置決め部は、前記第４片体の一側部下部の延伸結合部に設けられた弾性突出片で構成され、当該弾性突出部は、前記第３軸棒が前記延伸結合部に押し込み挿入される際に圧迫を受けて弾性的に変形し、前記第３軸棒が押し込み挿入された後に弾性的に復帰し、前記第３軸棒に対して阻隔面を形成することを特徴とする請求項１に記載の折り畳み式箱体のボーンフレーム。
【請求項７】
前記第４片体と前記第２片体との間に設けられる位置決め部は、前記第２片体の一側部上部の延伸結合部に設けられた弾性突出片で構成され、当該弾性突出部は、前記第３軸棒が前記延伸結合部に押し込み挿入される際に圧迫を受けて弾性的に変形し、前記第３軸棒が押し込み挿入された後に弾性的に復帰し、前記第３軸棒に対して阻隔面を形成することを特徴とする請求項１又は請求項６に記載の折り畳み式箱体のボーンフレーム。
【請求項８】
前記第１片体と前記第２片体とを軸着する前記第１軸棒上に弾性部材が設けられ、前記弾性部材は両端に腕部を有し、前記弾性部材の両腕部が前記第１片体と前記第２片体にそれぞれ弾性的に当接されていることを特徴とする請求項１に記載の折り畳み式箱体のボーンフレーム。
【請求項９】
前記第１片体と前記第３片体とを軸着する前記第２軸棒上に少なくとも１つの弾性部材が穿設され、前記弾性部材は両端に湾曲腕部を有し、前記弾性部材の両湾曲腕部が前記第１片体と前記第３片体にそれぞれ弾性的に当接され、前記第４片体と前記第２片体とを軸着する前記第３軸棒上に少なくとも１つの弾性部材が穿設され、前記弾性部材は両端に湾曲腕部を有し、前記弾性部材の両湾曲腕部が前記第４片体と前記第２片体にそれぞれ弾性的に当接されていることを特徴とする請求項１に記載の折り畳み式箱体のボーンフレーム。
【請求項１０】
前記第３片体及び前記第４片体の各々に少なくとも１つの凹部が設けられ、前記各々の凹部の一側に位置決め溝がそれぞれ形成され、かつ前記第１片体及び前記第２片体の各々に、前記各々の位置決め溝に対向する位置決め溝が設けられ、前記第１片体と前記第３片体とに当接された弾性部材の両端の湾曲腕部並びに前記第４片体と前記第２片体とに当接された弾性部材の両端の湾曲腕部が、前記各々の位置決め溝に嵌接されて位置決めされることを特徴とする請求項９に記載の折り畳み式箱体のボーンフレーム。
【考案の詳細な説明】
【技術分野】
【０００１】
本考案は、折り畳み式箱体のボーンフレームに関し、詳細には、第１片体、第２片体、第３片体及び第４片体の組み立て設計により、箱体のボーンフレームをしっかりと結合させ、且つ支持できるようにすると共に衝撃を吸収でき、使用者が便利に箱体を開いたり折り畳んだりできる等の効果を備え、各種の折り畳み式箱体に適用可能な折り畳み式箱体のボーンフレームに関する。
【背景技術】
【０００２】
従来の折り畳み式箱体のボーンフレームとしては、例えば、台湾特許第８２２１６９８０号の明細書に記載されているものがある。このものは、接続部材の曲折部の一端にボーンフレームを固定するための接合端が設けられ、曲折部の他端にスライド部材で制御される位置決め枠が設けられ、嵌合部の一端にボーンフレームを固定するための接合端が設けられ、嵌合部の他端に係止部材が設けられた嵌合槽が形成され、曲折部の位置決め枠と合わせて２つのボーンフレーム間の位置決めを行なうことができるものである。前記曲折部上に複数本の配列された前スリットと背面中央の背面スリットが設けられ、また各スリットに対して垂直の方向に溝部が形成され、該溝部の上下端にそれぞれ陥没状の陥没部が形成されると共に、別途弧形を呈する弧形部材が設けられ、この弧形部材の辺縁に形成された２つの挿入部間に弾力を提供する弾性部材が設置され、挿入部は陥没部の形状に合わせた突出部が設けられると共に、その長さは溝部の長さにほぼ等しく、この弧形部材を溝部に挿入した後、突出部を陥没部に嵌入させ、曲折部に一定の弧形を形成させるものである。
【０００３】
【特許文献１】台湾特許第８２２１６９８０号明細書
【考案の開示】
【考案が解決しようとする課題】
【０００４】
しかしながら、上記従来の折り畳み式箱体のボーンフレームは、湾曲させて位置決めするという機能は備えているものの、全体の構成部材が多く、且つ衝撃を吸収する効果が弱いため、実際の使用に際し、使用者のニーズを満たすことができない。
【０００５】
本考案はこれに鑑みてなされたもので、その目的は、第１片体、第２片体、第３片体及び第４片体の組み立て設計により、第２片体の片側に設置された複数の延伸結合部と第１片体の片側に設置された複数の延伸結合部とを軸棒で軸着して位置決めをし、第１片体と第２片体とを相互に回動可能に結合させ、箱体の支持と折り畳みに便利な構造とし、全体の実用性及び利便性を向上する、折り畳み式箱体のボーンフレームを提供することにある。
【０００６】
本考案の別の目的は、前記第１片体、第２片体、第３片体及び第４片体等の４つの片体の相隣する箇所に少なくとも１つの位置決め部をそれぞれ設け、各軸棒による軸着位置の位置決めに用いる折り畳み式箱体のボーンフレームを提供することにある。
【０００７】
本考案のさらに別の目的は、各軸棒上に設けられ、かつ各片体と相互に当接する弾性部材により、外力の衝撃を緩衝して衝撃吸収効果を高め、弾性的に位置回復をすることができる折り畳み式箱体のボーンフレームを提供することにある。
【課題を解決するための手段】
【０００８】
請求項１に係る折り畳み式箱体のボーンフレームは、上記課題を解決するために、折り畳み式箱体のボーンフレームであって、第１片体、第２片体、第３片体及び第４片体を含んでなり、前記第１片体及び前記第２片体は、各々の両側部に、上下方向に所定の間隔を開いて側方に延伸する複数の延伸結合部がそれぞれ設けられ、前記第１片体の一側部の複数の延伸結合部と前記第２片体の他側部の複数の延伸結合部とは、上下方向に交互に隣接配置されると共に、上下方向に向く第１軸棒により相互に回動可能に軸着され、前記第１片体と第２片体との間に前記第１軸棒に対する少なくとも１つの位置決め部が設けられ、前記第３片体は、一側部に上下方向に所定の間隔を開いて側方に延伸する複数の延伸結合部が設けられ、かつ他側部に他部材接続用の複数の嵌合突起体が上下方向に並設され、前記第３片体の一側部の複数の延伸結合部と前記第１片体の他側部の複数の延伸結合部とは、上下方向に交互に隣接配置されると共に、上下方向に向く第２軸棒により相互に回動可能に軸着され、前記第１片体と前記第３片体との間に前記第２軸棒に対する少なくとも１つの位置決め部が設けられ、前記第４片体は、一側部に上下方向に所定の間隔を開いて側方に延伸する複数の延伸結合部が設けられ、かつ他側部に他部材接続用の複数の嵌合突起体が上下方向に並設され、前記第４片体の一側部の複数の延伸結合部と前記第２片体の一側部の複数の延伸結合部とは、上下方向に交互に隣接配置されると共に、上下方向に向く第３軸棒により相互に回動可能に軸着され、前記第２片体と前記第４片体との間に前記第３軸棒に対する少なくとも１つの位置決め部が設けられたことを特徴とする。
【考案の効果】
【０００９】
本考案の折り畳み式箱体のボーンフレームによれば、しっかりと回動可能に支持することができる。また、請求項８乃至１０に記載の構成により、衝撃を吸収でき、使用者が箱体を開いたり折り畳んだりすることができ、全体の実用性と利便性が向上される。
【考案を実施するための最良の形態】
【００１０】
以下、本考案の実施の形態を図面に基いて詳細に説明する。図９は、本考案の実施形態に係るボーンフレームを使用した折り畳み式箱体を示す斜視図である。図９に示すように、ボーンフレームは、折り畳み式箱体のコーナ部分に使用されるものである。図１は、実施形態に係るボーンフレームを箱体の内側に向いて配置される面を正面として示す斜視図である。また、図２は、箱体の内側に向いて配置される面を正面として図１のボーンフレームを分解して示す斜視図である。図３は、箱体の外側に向いて配置される面を正面として図１のボーンフレームを分解して示す斜視図である。
【００１１】
また、図４は組み立てた状態のボーンフレームを示す側面図である。図５は、図４のＡ−Ａ′線での断面図である。図６は、図４のＢ−Ｂ′線での断面図である。図７は、図４のＣ−Ｃ′線での断面図である。また、図８は、折り畳んだ状態を示すボーンフレームの断面図である。
【００１２】
ボーンフレームは、第１片体１０、第２片体２０、第３片体３０及び第４片体４０を含んで構成されている。なお、以下の説明において、第１片体１０、第２片体２０、第３片体３０及び第４片体４０について、箱体の内側に向いて配置される面を内面といい、箱体の外側に向いて配置される面を外面という。
【００１３】
第１片体１０は両側に複数の延伸結合部１１、１２が設けられている。すなわち、第１片体１０は、図２において右側部に、上下方向に所定の間隔を開いて側方に延伸する複数の延伸結合部１１，１１，・・・が設けられ、図２において左側部に、上下方向に所定の間隔を開いて側方に延伸する複数の延伸結合部１２，１２，・・・が設けられている。
【００１４】
また、第２片体２０は両側に複数の延伸結合部２１、２２が設けられている。すなわち、第２片体２０は、図２において右側部に、上下方向に所定の間隔を開いて側方に延伸する複数の延伸結合部２２，２２，・・・が設けられ、図２において左側部に、上下方向に所定の間隔を開いて側方に延伸する複数の延伸結合部２１，２１，・・・が設けられている。
【００１５】
図１に示すように、第１片体１０の右側部の複数の延伸結合部１１，１１，・・・と、第２片体２０の左側部の複数の延伸結合部２１，２１，・・・とは、上下方向に交互に隣接配置されると共に、図２乃至図３に示すように、上下方向に向く第１軸棒５０により相互に回動可能に軸着され、第１片体１０と第２片体２０との間には、第１軸棒５０に対する少なくとも１つの位置決め部が設けられている。
【００１６】
本実施形態では、第１軸棒５０に対する位置決め部は、第１片体１０の右側部上部の延伸結合部に設けられた弾性突出片１３で構成され、弾性突出片１３は、第１軸棒５０が第１片体１０の右側部上部の延伸結合部に押し込み挿入される際に圧迫を受けて弾性的に変形し、第１軸棒５０が押し込み挿入された後に弾性的に復帰し、第１軸棒５０に対して阻隔面を形成する。
【００１７】
なお、図２に示すように、第１片体１０と第２片体２０との間に設けられる位置決め部は、第２片体２０の左側部下部の延伸結合部に設けてもよく、また同時に両方に設けてもよく、この位置決め部は左側部下部の延伸結合部に設けられた弾性突出片２３で構成され、弾性突出片２３は、第１軸棒５０が第２片体２０の左側部下部の延伸結合部に押し込み挿入される際に圧迫を受けて弾性的に変形し、第１軸棒５０が押し込み挿入された後に弾性的に復帰し、第１軸棒５０に対して阻隔面を形成する。
【００１８】
また、第１片体１０と第２片体２０を軸着する第１軸棒５０上には、弾性部材としてねじりコイルバネ８０が設けられ、ねじりコイルバネ８０は両端に腕部８１，８２を有し、ねじりコイルバネ８０の腕部８１が第１片体１０に弾性的に当接されると共に、ねじりコイルバネ８０の腕部８２が第２片体２０に弾性的に当接されている。なお、第１片体１０は第１軸棒５０に相隣する周縁に突出辺縁部１５が形成されているが、ねじりコイルバネ８０が第１軸棒５０に外装されている部分は突出辺縁部１５を欠いている（突出辺縁部１５が形成されていない）。よって、ねじりコイルバネ８０の一方の腕部８１が弾性的に第１片体１０の内面に当接されて位置決めされると共に、ねじりコイルバネ８０の他方の腕部８２が弾性的に第２片体２０の内面に当接されて位置決めされる。
【００１９】
第３片体３０は、一側部に上下方向に所定の間隔を開いて側方に延伸する複数の延伸結合部３１，３１，・・・が設けられている。すなわち、第３片体３０は、図２において右側部に、上下方向に所定の間隔を開いて側方に延伸する複数の延伸結合部３１，３１，・・・が設けられている。また、第３片体３０の左側部には、他部材接続用の複数の嵌合突起体３２，３２，・・・が上下方向に並設されている。なお、複数の嵌合突起体３２，３２，・・・により、第３片体３０はその他適切な型式または構造の延伸部材と組み合わせ接続することができる。
【００２０】
図１乃至図２に示すように、第３片体３０の右側部の複数の延伸結合部３１，３１，・・・と、第１片体１０の左側部の複数の延伸結合部１２，１２，・・・とは、上下方向に交互に隣接配置されると共に、上下方向に向く第２軸棒６０により相互に回動可能に軸着され、第１片体１０と第３片体３０との間には、第２軸棒６０に対する少なくとも１つの位置決め部が設けられている。
【００２１】
第３片体３０と第１片体１０との間に設けられる位置決め部は、第３片体３０の右側部上部の延伸結合部に設けられた弾性突出片３３で構成されている。弾性突出片３３は、第２軸棒６０が第３片体３０の右側部上部の延伸結合部に押し込み挿入される際に圧迫を受けて弾性的に変形し、第２軸棒６０が押し込み挿入された後に弾性的に復帰し、第２軸棒６０に対して阻隔面を形成する。
【００２２】
なお、前記位置決め部は、図２に示すように、第１片体１０の左側部下部の延伸結合部１２に設けても、また同時に両方に設けてもよい。第１片体１０の左側部下部の延伸結合部１２に設けられる位置決め部は、弾性突出片１４で構成される。弾性突出片１４は、第２軸棒６０が第１片体１０の左側部下部の延伸結合部に押し込み挿入される際に圧迫を受けて弾性的に変形し、第２軸棒６０が押し込み挿入された後に弾性的に復帰し、第２軸棒６０に対して阻隔面を形成する。
【００２３】
第１片体１０と第３片体３０とを軸着する第２軸棒６０上に弾性部材としてのねじりコイルバネ９０が少なくとも１つ設けられ、ねじりコイルバネ９０は両端に湾曲腕部９１，９２を有し、ねじりコイルバネ９０の腕部９１，９２が第１片体１０と第３片体３０にそれぞれ弾性的に当接される。
【００２４】
図３に示すように、第３片体３０の上から２段目の延伸結合部の外面には、凹部３４が設けられ、凹部３４の両側に位置決め溝３４１が形成され、且つ、第１片体１０の外面には一方の位置決め溝３４１に対応する（一方の位置決め溝３４１に連通する）位置決め溝１６が水平方向に設けられ、各対応するねじりコイルバネ９０の両端の湾曲腕部９１、９２が位置決め溝３４１，位置決め溝１６に嵌接されて位置決めされる。
【００２５】
第４片体４０は、一側部に上下方向に所定の間隔を開いて側方に延伸する複数の延伸結合部４１，４１，・・・が設けられている。すなわち、第４片体４０は、図２において左側部に、上下方向に所定の間隔を開いて側方に延伸する複数の延伸結合部４１，４１，・・・が設けられている。また、第４片体４０の右側部には、他部材接続用の複数の嵌合突起体４２，４２，・・・が上下方向に並設されている。なお、複数の嵌合突起体４２，４２，・・・により、第４片体４０はその他適切な型式または構造の延伸部材と組み合わせ接続することができる。
【００２６】
図１乃至図２に示すように、第４片体４０の右側部の複数の延伸結合部４１，４１，・・・と、第２片体２０の右側部の複数の延伸結合部２２，２２，・・・とは、上下方向に交互に隣接配置されると共に、上下方向に向く第３軸棒７０により相互に回動可能に軸着され、第２片体２０と第４片体４０との間には、第３軸棒７０に対する少なくとも１つの位置決め部が設けられている。
【００２７】
第２片体２０と第４片体４０との間に設けられる位置決め部は、第４片体３０の左側部下部の延伸結合部に設けられた弾性突出片４３で構成されている。弾性突出片４３は、第３軸棒７０が第４片体４０の左側部下部の延伸結合部に押し込み挿入される際に圧迫を受けて弾性的に変形し、第３軸棒７０が押し込み挿入された後に弾性的に復帰し、第３軸棒７０に対して阻隔面を形成する。
【００２８】
なお、前記位置決め部は、図２に示すように、第２片体２０の右側部上部の延伸結合部に設けても、また同時に両方に設けてもよい。第２片体２０の右側部上部の延伸結合部に設けられる位置決め部は、弾性突出片２４で構成される。弾性突出片２４は、第３軸棒７０が第２片体２０の右側部上部の延伸結合部に押し込み挿入される際に圧迫を受けて弾性的に変形し、第３軸棒７０が押し込み挿入された後に弾性的に復帰し、第３軸棒７０に対して阻隔面を形成する。
【００２９】
また、第２片体２０と第４片体４０とを軸着する第３軸棒７０上に弾性部材としてのねじりコイルバネ９０が少なくとも１つ設けられ、ねじりコイルバネ９０は両端に湾曲腕部９１，９２を有し、ねじりコイルバネ９０の腕部９１，９２が第２片体２０と第４片体４０にそれぞれ弾性的に当接される。
【００３０】
図３に示すように、第４片体４０の上から２段目の延伸結合部の外面には、凹部４４が設けられ、凹部４４の両側に位置決め溝４４１が形成され、且つ、第２片体２０の外面には一方の位置決め溝４４１に対応する（一方の位置決め溝４４１に連通する）位置決め溝２６が水平方向に設けられ、各対応するねじりコイルバネ９０の両端の湾曲腕部９１、９２が位置決め溝４４１，位置決め溝２６に嵌接されて位置決めされる。
【００３１】
上述の構造により、折り畳み式箱体のボーンフレームが構成される。図１乃至図９に示すように、本考案の折り畳み式箱体のボーンフレームは、第１片体１０、第２片体２０、第３片体３０及び第４片体４０の組み立て設計により、第１片体１０の右側部の複数の延伸結合部１１，１１，・・・と、第２片体２０の左側部の複数の延伸結合部２１，２１，・・・とを上下方向に交互に隣接配置すると共に、上下方向に向く第１軸棒５０により相互に回動可能に軸着した構成により、箱体を開き支持したり折り畳んだりするときに便利であることがその特徴である。
【００３２】
また、第１片体１０、第２片体２０、第３片体３０及び第４片体４０等の４つの片体の相隣する箇所には、それぞれ少なくとも１つの位置決め部が設けられており、第１軸棒５０、第２軸棒６０及び第３軸棒７０を枢設して位置決めするために用い、さらに、第１軸棒５０、第２軸棒６０及び第３軸棒７０上にそれぞれ設けられ、各片体と相互に当接される弾性部材としてのねじりコイルバネ８０、９０，９０が効果的に外力の衝撃を緩衝し、さらに弾性力によって元位置回復機能を向上することができる。よって、しっかりとした回動結合と支持、衝撃の緩衝、使用者が箱体を開いたり折り畳んだりするときの利便性等の効果を与えることができる。
【図面の簡単な説明】
【００３３】
【図１】本考案の実施形態に係るボーンフレームを箱体の内側に向いて配置される面を正面として示す斜視図である。
【図２】箱体の内側に向いて配置される面を正面として図１のボーンフレームを分解して示す斜視図である。
【図３】箱体の外側に向いて配置される面を正面として図１のボーンフレームを分解して示す斜視図である。
【図４】組み立てた状態のボーンフレームを示す側面図である。
【図５】図４のＡ−Ａ′線での断面図である。
【図６】図４のＢ−Ｂ′線での断面図である。
【図７】図４のＣ−Ｃ′線での断面図である。
【図８】折り畳んだ状態を示すボーンフレームの断面図である。
【図９】本考案の実施形態に係るボーンフレームを使用した折り畳み式箱体を示す斜視図である。
【符号の説明】
【００３４】
１０  第１片体
１１  延伸結合部
１２  延伸結合部
１３  弾性突出片
１４  弾性突出片
１５  突出辺縁部
１６  位置決め溝
２０  第２片体
２１  延伸結合部
２２  延伸結合部
２３  弾性突出片
２４  弾性突出片
２６  位置決め溝
３０  第３片体
３１  延伸結合部
３２  嵌合突起体
３３  弾性突出片
３４  凹部
３４１  位置決め溝
４０  第４片体
４１  延伸結合部
４２  嵌合突起体
４３  弾性突出片
４４  凹部
４４１  位置決め溝
５０  第１軸棒
６０  第２軸棒
７０  第３軸棒
８０  ねじりコイルバネ（弾性部材）
８１  腕部
８２  腕部
９０  ねじりコイルバネ（弾性部材）
９１  湾曲腕部
９２  湾曲腕部
【図１】
0003130186.tif 000003
【図２】
0003130186.tif 000004
【図３】
0003130186.tif 000005
【図４】
0003130186.tif 000006
【図５】
0003130186.tif 000007
【図６】
0003130186.tif 000008
【図７】
0003130186.tif 000009
【図８】
0003130186.tif 000010
【図９】
0003130186.tif 000011